(57)【要約】【課題】取扱説明書内容を機器内部記憶装置にデータとして記憶させ、取扱説明書内容を表示画面上でいつでも読むことができるようにし、使用者の操作性の向上、利便性の向上を目的とする。【解決手段】入力映像信号に所定の映像処理を施して入力映像信号に基づく映像を表示画面上に表示する表示手段８と、表示手段８による映像の表示を制御するための制御手段７と、使用者からの操作要求を受け付ける操作要求受信手段１２と、使用者のさまざまな要求操作を助ける操作ガイダンスを含む取扱説明書情報をデータとしてメモリ９に記憶する記憶手段と、メモリ９に記憶された取扱説明書情報データを読み出し表示画面上に表示する表示手段とを有するテレビジョン受像機。【選択図】図１
2008085940.tif 000002
【特許請求の範囲】
【請求項１】
入力映像信号に所定の映像処理を施して前記入力映像信号に基づく映像を表示画面上に表示する表示手段と、前記表示手段による映像の表示を制御するための制御手段と、使用者からの操作要求を受け付ける操作要求受信手段と、使用者のさまざまな要求操作を助ける操作ガイダンスを含む取扱説明書情報をデータとしてメモリに記憶する記憶手段と、前記メモリに記憶された取扱説明書情報データを読み出し表示画面上に表示する表示手段とを有することを特徴としたテレビジョン受像機。
【請求項２】
請求項１に記載のテレビジョン受像機において、
前記操作要求受信手段により受け付けた操作要求に対し、さまざまな要求をする使用者を助ける最適な取扱説明書情報を選び出し、前記最適な取扱説明書情報に適合する取扱説明書情報データを読み出し、その際に、直前に使用者が行った操作を考慮する取扱説明書情報選出手段を有することを特徴とするテレビジョン受像機。
【請求項３】
請求項１に記載のテレビジョン受像機において、
前記操作要求受信手段により受け付けた使用者からの操作要求の履歴を保持する手段と、前記操作要求受信手段により受け付けた操作要求に対し、さまざまな要求をする使用者を助ける最適な取扱説明書情報を選び出し、前記最適な取扱説明書情報に適合する取扱説明書情報データを読み出し、その際に、使用者からの操作要求の履歴を考慮する取扱説明書情報選出手段を有することを特徴とするテレビジョン受像機。
【請求項４】
請求項１〜請求項３のいずれか１項に記載テレビジョン受像機において、
前記記憶手段として、前記取扱説明書情報をテレテキストデータフォーマットにて、前記メモリに記憶させておく手段を採用することを特徴とするテレビジョン受像機。
【発明の詳細な説明】
【技術分野】
【０００１】
本発明は、テレビジョン受像機であり、特にテレビジョン受像機メーカーから紙媒体として使用者に提供される取扱説明書を、テレビジョン受像機内部に有する記録媒体に収録し、画面上に取扱説明書内容を表示する方法に関する。
【背景技術】
【０００２】
近年、映像情報の多様化に伴い、アナログ映像信号をデジタル信号に変換して映像処理を行う映像処理回路のデジタル化が進み、さらに、映像信号自体がアナログ信号からデジタル信号の移行が急速に拡大している。
【０００３】
このようなテレビジョン受像機等の映像機器においては、様々な機能が採用されているが、単なるテレビジョン放送からの映像表示のみではなく、テレテキストといった文字放送による情報表示が広く普及されている。テレテキストは、主にヨーロッパ地域で普及している文字放送であり、通常のテレビジョン放送の電波に、文字情報（文字のほか図形も含む）データを重畳して送信し、受信装置において受信信号から文字情報を抜き取って、画面に映像として表示するものである。こういったテレテキスト（文字放送）を画面に映像として表示することによって、視聴者は、ニュース、天気予報、交通情報、株価などの様々な情報をリアルタイムに得ることができる。
【０００４】
映像信号の垂直帰線期間に重畳されているテレテキストデータをスライスする、あるいはその反対となるテレテキストデータを任意の映像信号の垂直帰線期間に重畳させる、といった技術はすでに確立しており、スライスしたデータを画面に表示するという技術は、テレテキストの基本的な技術である。
【０００５】
ところで、通常においては、テレビジョン受像機等の映像機器を新規で購入すると、映像機器における設定方法や操作方法などのさまざまな機能における説明、注意事項が詳細に記載された取扱説明書が添付されてくる。一般的に、使用者は、メーカー側が用意するこの取扱説明書を利用することにより、映像機器における設定操作方法や各種機能等の情報を得ることができると共に、得られた情報に基づいて機器設定操作を行うことにより、適切な操作方法で各種機器設定制御を行うことが可能となる。また、映像機器を使用する際の注意事項等の情報も得られることにより、使用者は、安全且つ確実な使用方法で機器を使用することも可能となる。
【０００６】
しかしながら、取扱説明書に記載すべき必要な情報量は、昨今の映像機器の高機能／多機能化、複雑化に伴い、ますます増大化する傾向にある。このため、冊幅が厚くなることや、冊数が複数になることもしばしばであり、それらの取扱説明書から、使用者の現在知りたいと所望する機器設定操作等の情報を、迅速かつ容易に得るには大変難しくなっていることから、使用者による取扱説明書の使用頻度が次第に減少してきている。しかし、メーカー側としては、使用者に、よりスムーズにより正しく機器設定等の操作を行ってもらうためには、使用する前に、もしくは操作方法がわからなくなったときに都度、取扱説明書を使用してもらうことを前提としている場合が多い。メーカー側と使用者側における取扱説明書の位置づけの差が出てしまっているのが現状である。
【０００７】
一方、従来手法として、メニュー表示による機器設定操作を使用者が行うとき、操作方法がわからない状況に遭遇した場合に、所望する操作方法が記述された取扱説明書の該当ページを、メニュー画面とともに合成させてオンスクリーン表示させることにより、使用者は、そのオンスクリーン表示から、容易にどのページを見ればよいか把握し、必要とする設定内容が記載されている取扱説明書のページを開くことができ、操作性を向上させることが可能となる、という技術が考えられている。また、煩雑となっている取扱説明書を頼ることなく、操作しようとしているとき、あるいは、操作の途中の何時でも操作手順が分からなくなったときには、次の操作手順を文字・数字・図形等でオンスクリーン上表示して、次に何をすれば良いかを案内することができることを提供する、といったヘルプ表示機能を搭載した手法が考えられている（特許文献１〜３参照）。
【特許文献１】特開平７−２８４０３４号公報
【特許文献２】特開平１０−５１７０８号公報
【特許文献３】特開２００６−１２７３７２号公報
【発明の開示】
【発明が解決しようとする課題】
【０００８】
しかしながら、上記記載の従来の手法である、メニュー画面とともに該当ページを表示する方法では、メニュー画面から何かを操作したいときなどでは、最適な該当ページがオンスクリーン表示され、取扱説明書から操作方法を調べるときに、非常に役立つ技術であるが、メニュー表示をともなわない機能、たとえば、音声多重放送の切り替えや、チャンネルの選局、ビデオ入力の切り替えなどの場合に、的確なタイミングでオンスクリーン表示できない、など有効性に欠ける場面も出てくるなど課題があった。さらに、この方法では、結局は使用者に対して取扱説明書を読んでもらうことを前提としているため、もし、使用者がある操作に対してわからなくなった場合に、手もとに取扱説明書が運悪く見つからず、せっかく該当ページ表示されてもうまく対処できない、ということがあげられていた。
【０００９】
また、ヘルプ表示機能を搭載した手法においては、ちょっとした操作方法のヒントが欲しいなど、少ない情報のみを画面に表示して、使用者に伝えるだけで済む場合は、非常に有効かつ端的な方法であるが、使用者の所望する情報の種類によっては、詳しい説明が記載されている取扱説明書が必要となる場合も生じてくる場合があり、従来のヘルプ表示機能装置では、使用者が解らない機器設定操作等の情報に対応した取扱説明書に対する関連情報については表示がなされるものではなく、このため、使用者が所望する情報を得るためには、結局のところ、取扱説明書から該当するページを探して開かなくてはならず、非常に不便であるという問題点があった。さらに、この方法では、このようなヘルプ表示機能を付加するためには、メニュー表示による操作毎に応答してヘルプ表示を行うための複雑な回路群や、様々なソフト等が必要であることから、ハード・ソフト両者においてコストが高価となり、技術的にも困難であることも問題としてあげられていた。
【００１０】
そこで、本発明は、上記問題点に鑑みてなされたもので、取扱説明書内容を機器内部記憶装置にテレテキストデータフォーマットとして記憶させ、任意にデータを抽出、映像信号との合成、画面表示を行えるようにし、詳細な取扱説明書内容を表示画面上でいつでも読むことができ、使用者の操作性の向上、利便性の向上させたテレビジョン受像機を提供することを目的とする。
【課題を解決するための手段】
【００１１】
本発明は、入力映像信号に所定の映像処理を施して前記入力映像信号に基づく映像を表示画面上に表示する表示手段と、前記表示手段による映像の表示を制御するための制御手段と、使用者からの操作要求を受け付ける操作要求受信手段と、使用者のさまざまな要求操作を助ける操作ガイダンスを含む取扱説明書情報をデータとしてメモリに記憶する記憶手段と、前記メモリに記憶された取扱説明書情報データを読み出し表示画面上に表示する表示手段とを有するテレビジョン受像機である。
【００１２】
また、本発明は、前記操作要求受信手段により受け付けた操作要求に対し、さまざまな要求をする使用者を助ける最適な取扱説明書情報を選び出し、前記最適な取扱説明書情報に適合する取扱説明書情報データを読み出し、その際に、直前に使用者が行った操作を考慮する取扱説明書情報選出手段を有するテレビジョン受像機である。
【００１３】
そして、本発明は、前記操作要求受信手段により受け付けた使用者からの操作要求の履歴を保持する手段と、前記操作要求受信手段により受け付けた操作要求に対し、さまざまな要求をする使用者を助ける最適な取扱説明書情報を選び出し、前記最適な取扱説明書情報に適合する取扱説明書情報データを読み出し、その際に、使用者からの操作要求の履歴を考慮する取扱説明書情報選出手段を有するテレビジョン受像機である。
【００１４】
更に、本発明は、前記記憶手段として、前記取扱説明書情報をテレテキストデータフォーマットにて、前記メモリに記憶させておく手段を採用するテレビジョン受像機である。
【００１５】
本発明は、従来の技術であるテレテキスト表示技術を採用することにより、任意に画面上に、取扱説明書の内容を表示させることができるようになる。使用者が機器設定の操作方法を知りたいと思ったときに、即座に、画面上に、使用者が所望する取扱説明書の内容を表示させることができるようになり、これにより、使用者は画面表示上から、実際に添付されている取扱説明書から欲しい情報を探したり、読んだりする必要もなくなり、利便性、操作性を向上させることが可能となる。
【発明の効果】
【００１６】
本発明によれば、任意な状況で任意な時に、機器設定操作内容に応じた取扱説明書の該当ページを表示させることを実現することが可能であることから、通常紙媒体で添付されている取扱説明書を使用しなくても、円滑にして詳細な操作情報を得ることができ、操作性を向上させることができると共に、紙媒体である取扱説明書を廃止できるということも視野に入れることができ、コスト的にも安価に構成することができるという効果を得る。また、取扱説明書データが格納されているメモリ内容を書き換える手段を設けることにより、容易に内容を変更させることが可能となり、より使用者の利便性を向上することができる。
【発明を実施するための最良の形態】
【００１７】
本発明を実施するための最良の形態について、図面を参照して説明する。
本発明のテレビジョン受像機の実施例について、図面を用いて説明する。
【００１８】
実施例を説明する。図１は本発明によるテレビジョン受像機の一実施例を示すブロック図であって、１はアンテナ、２は信号受信部（チューナを含む）、３は音声信号処理部（回路）、４はスピーカ、５は映像信号処理部、６は映像合成処理部、７は映像表示処理部、８はＬＣＤやＣＲＴ他の表示装置、９は取扱説明書情報データを格納するメモリ、１１は取扱説明書情報などを処理するデータデコーダ処理部、１２はリモコン受光部、１３はリモコンハンドセットなどのリモコン、１４はメインとなるマイコン（選局マイコンも含む）、１５はマイコン１４が処理として使用するメモリ、２１は信号受信部２内にあるチューナで制御された後のコンポジット映像信号ライン、２２は取扱説明書をオンスクリーン表示する映像信号ライン、２３はこれらさまざまな制御部をつなぐ通信バスラインである。
【００１９】
図１において、アンテナ１で受信されたＲＦ信号は信号受信部２に供給され、マイコン１４からの選局制御により、所望チャンネルのテレビジョン音声信号とテレビジョン映像信号２１とが、音声信号処理部３および映像信号処理部５に供給される。
【００２０】
音声処理部３に供給された音声信号は、音声信号処理が施され、スピーカ４により出力される。映像信号処理部５に供給されたテレビジョン映像信号２１は、表示装置８に映像が表示されるために必要な処理が施されて映像表示制御回路７に送られ、適宜処理後、表示装置８に供給され、画面上にテレビジョン映像が表示される。
【００２１】
また、リモコンハンドセット１３の所望のキーを操作して所望のチャンネルを指定すると、そのチャンネル指定信号がリモコン受信機１２を介してマイコン１４に送られ、このマイコン１４がこのリモコン信号種類に応じて信号受信部２内のチューナを制御することにより、リモコンハンドセット１３で指定されたチャンネルが選局される。
【００２２】
一方、メモリ９は、不揮発性メモリであり、本発明によるテレビジョン受像機の設定操作方法や各種機能等の情報が記載されている取扱説明書情報のデータが格納されている。格納されているデータ形式はテレテキストデータ形式であり、テレテキストデータ形式は、一般的にコンポジット映像信号の垂直帰線期間内の決められた水平走査期間に重畳されているデータを単位長として送出されるデータパケット形式のことをいう。
【００２３】
本発明による、格納されたテレテキストデータ形式の取扱説明書情報データは、各種の文字やモザイク図形などで表現されたものをそのまま１画面ごととして構成され、文字や特定のモザイク図形等は、予め決められた基準のもとに符号化してコードデータに変換し、これらコードデータにページ番号、サブページ番号、表示モードなど、各種の制御符号が付加され、いわゆる１ページの取扱説明書画面データとしている。
【００２４】
ここで、図３は、本発明による取扱説明書画面の内容表示例を示す図である。ある機能の一項目につき１ページを用意し、タイトル、操作手順、テレビ画面上のメニュー画面表示、リモコン使用ありの場合は、リモコン概観図表示、など、この画面を見るだけで、その機能のほぼすべてがわかるように、紙媒体としての取扱説明書を再現するような内容とする。また、テレテキストの特徴の関連ページジャンプを用いて、画面の下部にあるリンク部を選ぶことにより、関連する機能へリンクさせることも可能としている。さらに、この図では示していないが、同じくテレテキストの特徴であるサブページという機能を用い、１画面では説明しきれない部分があった場合に、補足するようなページも用意している。
【００２５】
図１の説明に戻り、データデコーダ処理部１１では、メモリ９から適宜、格納されている取扱説明書情報データの読み出しを行い、それらのデータはテレテキストデータとして格納されているので、従来のテレテキスト技術のようにデコードを行い、映像合成が可能となるようＲＧＢ信号といった映像信号化を行い、映像合成処理部６に供給する。
【００２６】
映像合成処理部６は、テレビジョン映像信号２１と、前記取扱説明書データ映像信号２２を合成して、表示装置に映像が表示されるために必要な処理が施され、映像表示処理部７に送られる。
【００２７】
基本的に、テレテキスト放送の表示には、画面の全てがテレテキストページである単独表示と、テレビ画面の一部にテレテキストページを重ねて表示するスーパーインポーズ表示の２種類がある。これらの表示方法の派生方法として、画面すべてがテレテキストページであるが、背景を透明化することにより、テレビ画面が背景に見えつつ、テレテキスト文字が表示されるといった方法や、テレビ画面を２分割し、一方をテレテキスト画面とする方法などが、従来から採用されており、これらの方法を実現可能にする回路が映像合成処理部６である。
【００２８】
ここで、図２は、実際に、映像合成処理部６によってテレビ画面と合成された取扱説明書画面の表示例である。図２（ａ）は、テレビ画面と取扱説明書画面を均等に２分割して表示した場合の表示例であり、図２（ｂ）は、取扱説明書画面のみを表示した場合の表示例であり、図２（ｃ）は、全画面表示された取扱説明書画面にテレビ画面を子画面表示した場合の表示例であり、図２（ｄ）は、全画面表示されたテレビ画面に取扱説明書画面を子画面表示した場合の表示例である。それぞれの表示の形態は、使用者の嗜好に合わせて使用者がメニューなどから選択できたり、または、取扱説明書の内容によって、自動的に選択したりすることも可能となっている。
【００２９】
図１の説明に戻り、取扱説明書内容を表示するタイミングは、使用者からの要望により表示を行うため、リモコンハンドセット１３の、特定するキー（たとえばヘルプキー）を使用者が操作することによって、リモコン受光部１２を介してマイコン１４が、使用者が取扱説明書を見たいという要求が来ていると認識し、画面表示を行う。
【００３０】
このとき、マイコン１４は、使用者に操作方法などで困ったことが起こり、取扱説明書を見たいという要求を出したときに、直前に使用者がどういった操作を行っていたかを認識し、その状況に適した取扱説明書のページを表示することが肝要である。選局処理やリモコン受信処理など、動作全般をつかさどるマイコン１４として、過去の動作を常に記憶し、容易に把握できるようにしておく。加えて、テレテキスト表示技術として、任意のページを表示するという機能は問題なく実現できるため、使用者に適したページ表示を容易に可能となる。
【００３１】
具体的な事例として、たとえば、使用者がトップメニュー表示を行なった直後に、取扱説明書を見たいという要求を出してきたら、メニューの機能の一般的な使用方法が知りたいという要求であると認識し、メニュー一覧表示の取扱説明書画面を表示する。また、使用者がトップメニューからメニュー階層をすすみ、ある特定のメニュー項目で、要求を出した場合は、その項目における取扱説明書画面を表示する。さらに、メニュー表示に関する使用者の要求ではなく、たとえば、リモコンハンドセット１３の音量キーを操作したあとに、取扱説明書を見たいという要求を出してきたら、これは、音量操作に関することを知りたいという要求であると認識し、音量関連の取扱説明書画面を表示する。つまり、直前に使用者が行った操作に対して、それらの操作に関する取扱説明書画面を表示することにより、使用者の要望を満たすことになるのである。
【００３２】
以上の、それぞれの回路構成によるテレビジョン受像機により、あらかじめ機器メーカーが用意している、内部メモリに格納されている取扱説明書内容を、テレテキストという技術を介して、任意に使用者が要望するタイミングで、画面表示を行うことができるようになる。
【００３３】
ところで、本発明では、取扱説明書の内容などが、テレビジョン受像機製造直前に決定されたり、製造後や発売後に変更を余儀なくされたりした場合でも、取扱説明書データが格納されているメモリ９の内容を変更するだけでよいため、臨機応変に対応させて変更することも可能である。
【図面の簡単な説明】
【００３４】
【図１】本発明に係るオンスクリーン表示装置の一実施形態例を示すブロック図である。
【図２】図１に示す装置の、取扱説明書画面とテレビ画面の同時表示の例を示す図である。
【図３】テレテキスト表示技術を用いた、本発明の取扱説明書画面の内容表示例を示す図である。
【符号の説明】
【００３５】
１・・・アンテナ
２・・・信号受信部
３・・・音声信号処理部
４・・・スピーカ
５・・・映像信号処理部
６・・・映像合成処理部
７・・・映像表示処理部
８・・・表示装置
９・・・取扱説明書データ格納用メモリ
１１・・・データデコーダ処理部
１２・・・リモコン受光部
１３・・・リモコンハンドセット
１４・・・メインマイコン
１５・・・マイコン処理用メモリ
２１・・・テレビジョン映像信号ライン
２２・・・取扱説明書用映像信号ライン
２３・・・通信バスライン
【図１】
2008085940.tif 000003
【図２】
2008085940.tif 000004
【図３】
2008085940.tif 000005